(57)【特許請求の範囲】
【請求項１】
エレベータ乗りかご内照明用の電源に電源スイッチを介して接続された照明灯と、
前記電源スイッチに並列接続された点検スイッチ及びリレー、エレベータの機械室に設けたエレベータ制御盤に接続され、このエレベータ制御盤からの制御信号により制御可能である第１の切替え回路からなる直列回路と、
前記電源スイッチに並列接続された整流回路と、
前記整流回路に前記リレーの動作に対応して作動する第２の切替え回路を介して接続された２次電池と、
前記２次電池に前記リレーの動作に対応して動作する第３の切替え回路を介して接続され、乗りかご内に設けられた停電灯と、
前記停電灯の近傍に取りつけられ、前記停電灯の点灯光を検知する光センサーと、
を備え、
前記電源スイッチがＯＮ状態にて前記照明灯が点灯されている場合であって、前記点検スイッチのＯＦＦ操作若しくは前記エレベータ制御盤からの制御信号にて前記第１の切替え回路がＯＦＦ動作するとともに前記リレーがＯＦＦ動作したとき、前記第２の切替え回路がＯＦＦ動作するとともに前記第３の切替え回路がＯＮ動作し、前記２次電池に蓄えられた電圧により前記停電灯が点灯した後、前記光センサーからの信号を前記エレベータ制御盤に伝送表示することを特徴とするエレベータ乗りかご内の停電灯点検装置。
【請求項２】
前記エレベータ制御盤は、遠隔監視センターからの制御信号を受け前記第１の切替え回路を制御するとともに、前記光センサーからの信号を受け遠隔監視センターに伝送することを特徴とする請求項１記載のエレベータ乗りかご内の停電灯点検装置。
【発明の詳細な説明】
【０００１】
【発明の属する技術分野】
本発明は、エレベータの平常運転中でも、容易に乗りかご内の停電灯の点検を可能とした停電灯点検装置の改良に関する。
【０００２】
【従来の技術】
従来から、エレベータの乗りかご内には停電灯が設置され、照明灯によるかご内照明が電源故障等により停電したときに自動的に点灯させることで、乗客等の安全を図るように構成されている。停電灯は蛍光灯や白熱電球からなり、規定上かご内床面で１ルクス以上の照度を呈するように設定されているが、停電灯自体が常に正常動作するように、定期的な点検確認が行われる。
【０００３】
そこで、従来の乗りかご内の停電灯を点検する停電灯点検装置は、図３に示すように構成されていた。
【０００４】
すなわち、商用単相交流１００Ｖの電源１には、機械室内のエレベータ制御装置に設けられた電源スイッチ１ａ及びかご内に設けられた照明灯スイッチ２ａを介して、一般には、蛍光灯からなる照明灯２が接続されている。図３では照明灯２は、複数個（２個、２１，２２）の蛍光灯で構成された状態を示している。
【０００５】
また、電源１には電源スイッチ１ａを介して、照明灯スイッチ２ａ及び照明灯２とは並列に、リレー３及び整流回路４がそれぞれ並列接続されている。
【０００６】
整流回路４の出力端子には、リレー３の常開接点で、リレー３の切替え動作に伴い作動する切替え回路３ａを介して２次電池５が接続されている。従って、電源１からの電力が電源スイッチ１ａ、照明灯スイッチ２ａを順次介して照明灯２に供給され、照明灯２が点灯しているときには、低圧直流電源である整流回路４の整流出力は２次電池５に供給され充電される。
【０００７】
一方、２次電池５の出力端子は、前記リレー３の常閉接点で、同じくリレー３の切替え動作に伴い作動する切替え回路３ｂを介して停電灯６に接続されている。
【０００８】
従って、電源１から規定の電力が正常に出力されている状態では、照明灯２は点灯するとともに、リレー３のＯＮ動作により２次電池５は充電状態に、また停電灯６は消灯状態にある。
【０００９】
もしも、電源１側の故障により出力されない場合は、照明灯２は消灯し、乗りかご内はいわゆる停電状態となるが、リレー３が作動し、切替え回路３ａはＯＦＦ、他の切替え回路３ｂはＯＮとなり、２次電池５の充電回路は遮断され、停電灯６は点灯する。つまり、リレー３は電源１の電圧状態の異常に対応して作動し、規定出力電圧以下のときに、停電灯６を点灯させ、乗りかご内を照らすように構成されている。
【００１０】
このように、乗りかご内がいわゆる停電状態になったときには、停電灯６が点灯し、かご内は小さく弱いながらも一定の明るさが確保されるので、乗客の不安を軽減させ、乗客の安全を図るという目的がかなえられる。
【００１１】
もしも、停電灯６が故障し、電源１出力の停止状態で点灯されなくなるとその目的を果たせなくなるので、停電灯６は定期的に点検され、常に正常動作が行われるように管理されている。
【００１２】
そこで、上記従来装置では、作業員が停電灯の点検作業を行う場合、機械室内のエレベータ制御装置に設けられた電源スイッチ１ａを遮断（ＯＦＦ）操作し、その状態において実際にかご内の停電灯６が点灯しているかどうかを、直接、目視により確認していた。
【００１３】
通常、電源スイッチ１ａは機械室内に設けられているから、従来の停電灯点検装置では、点検作業員はまず機械室内に入り、電源スイッチ１ａを遮断操作した後、階段を降り、エレベータ乗りかごのドアを開け、かご内の停電灯６の点灯確認を行っていた。
【００１４】
【発明が解決しようとする課題】
上記のように、従来のエレベータ乗りかご内の停電灯点検装置では、点検作業員は階段等を上り下りして機械室と乗りかご間を移動するので、点検作業には相当の時間と労力を要した。
【００１５】
また、停電灯点検時は、主電源スイッチを操作してエレベータの照明電源の出力を遮断するので、主電源スイッチに連なる該当エレベータの照明が全て停止（消灯）するので、仮に停電灯が正常動作して点灯するとしても、かご室内はかなり暗い状態となる。
【００１６】
もしも、停電灯の点検作業時、照明灯が消え、停電灯が点灯されることは、乗客に不安感や不快感を与えることになる。従って、停電灯の点検は一般乗客のエレベータの利用を停止して行うことになるが、それではエレベータの利用効率を低下させることとなるので改善が要望されていた。
【００１７】
そこで、本発明は、照明灯を消灯させることなく、簡単に停電灯の点検作業を可能とする乗りかご内の停電灯点検装置を提供することを目的とする。
【００１８】
【課題を解決するための手段】
本発明のエレベータ乗りかご内の停電灯点検装置は、エレベータ乗りかご内照明用の電源に電源スイッチを介して接続された照明灯と、前記電源スイッチに並列接続された点検スイッチ及びリレー、エレベータの機械室に設けたエレベータ制御盤に接続され、このエレベータ制御盤からの制御信号により制御可能である第１の切替え回路からなる直列回路と、前記電源スイッチに並列接続された整流回路と、前記整流回路に前記リレーの動作に対応して作動する第２の切替え回路を介して接続された２次電池と、前記２次電池に前記リレーの動作に対応して動作する第３の切替え回路を介して接続され、乗りかご内に設けられた停電灯と、前記停電灯の近傍に取りつけられ、前記停電灯の点灯光を検知する光センサーと、を備え、前記電源スイッチがＯＮ状態にて前記照明灯が点灯されている場合であって、前記点検スイッチのＯＦＦ操作若しくは前記エレベータ制御盤からの制御信号にて前記第１の切替え回路がＯＦＦ動作するとともに前記リレーがＯＦＦ動作したとき、前記第２の切替え回路がＯＦＦ動作するとともに前記第３の切替え回路がＯＮ動作し、前記２次電池に蓄えられた電圧により前記停電灯が点灯した後、前記光センサーからの信号を前記エレベータ制御盤に伝送表示することを特徴とする。
【００１９】
本発明装置は、上記のように、乗りかご内の照明灯に並列に、点検スイッチ及びリレーからなる直列回路を設けたものである。従って、乗りかごに設けた点検スイッチによるリレーのＯＮ・ＯＦＦ操作により、停電灯が消灯・点灯するので、点検作業員は乗りかごでの操作のみで、点検灯の点検作業が可能である。
【００２０】
また、点検スイッチは照明灯と並列に回路接続されているので、照明灯は停電灯の点検動作中も通常の点灯状態が継続される。従って、仮に乗りかご内に乗客が居ても、格別、不快感を感じることもない。
【００２１】
【発明の実施の形態】
以下、本発明によるエレベータかご内の停電灯点検装置の一実施の形態を図１及び図２を参照し詳細に説明する。なお、図３に示した従来の構成と同一構成には同一符号を付して詳細な説明は省略する。
【００２２】
すなわち、図１に示すこの発明によるエレベータかご内の停電灯点検装置の一実施の形態を示した構成図において、まずエレベータ乗りかご内照明用の電源１には主スイッチである電源スイッチ１ａ及び照明灯スイッチ２ａを介して照明灯２が接続されている。
【００２３】
照明灯スイッチ２ａ及び照明灯２に並列に、点検スイッチ７，切替え回路８及びリレー３からなる直列回路、及び整流回路４が接続構成されている。整流回路４には従来と同様に、切替え回路３ａを介して２次電池５が接続され、この２次電池５には切替え回路３ｂを介して停電灯６が接続されている。切替え回路３ａ，３ｂはそれぞれリレー３の常開接点及び常閉接点で構成されるから、点検スイッチ７あるいは切替え回路８のＯＦＦ操作によりリレー３がＯＦＦ動作したとき、２次電池５の充電は停止され、切替え回路３ｂを介して２次電池５に接続された停電灯６は点灯される。
【００２４】
乗りかごに設けられた停電灯６には、その停電灯６に接触するように、あるいはそのごく近傍に光センサー９が取り付けられ、光センサー９により検出された停電灯６の点灯信号がエレベータ制御盤１０に伝送されるように接続構成されている。
【００２５】
従って、例えば乗りかごのかご操作盤に設けた点検スイッチ７をＯＦＦとすると、リレー３はＯＦＦとなり、リレー３の常開接点である切替え回路３ａは開き、反対に常閉接点である切替え回路３ｂは閉じた状態となり、２次電池５に蓄えられた電荷により停電灯６は点灯する。従って、点検スイッチ７をＯＦＦとしても、電源スイッチ１ａ、及び照明スイッチ２１は全て閉じた状態にあり、照明灯２は通常通り点灯されているが、点検作業員は、乗りかごの点検スイッチ７をＯＦＦ操作することにより、リレー３が作動して、停電灯６が点灯するのをその場で確認することができる。
【００２６】
また、前記切替え回路８は、エレベータ制御盤１０内に取り付けられた図示しないリレーの常閉接点で構成できるので、そのエレベータ制御盤１０内のリレー操作により、直列回路のリレー３を動作させることができる。従って点検作業員は、機械室におけるリレー操作により切替え回路８をＯＦＦとし、停電灯６が点灯したのを、光センサー９からの信号を受けエレベータ制御盤１０の表示灯に点灯されるのをその場で見て、停電灯６の点灯動作を確認できる。
【００２７】
また、エレベータ制御盤１０に図２に示すような端末装置１０１を備え、同じく図１及び図２に示すように、電話回線等からなる通信回線１２を介して遠隔監視センター１１と接続構成することによって、遠隔監視センター１１側からエレベータ制御盤１０を制御し、停電灯６を点検することができる。
【００２８】
遠隔監視センター１１側から停電灯６の動作点検を行うための、遠隔監視センター１１と端末装置１０１の詳細構成及び作用を、図１及び図２を参照して説明すると、まず遠隔監視センター１１側は遠隔監視装置１１１と監視表示盤１１２とで構成されている。遠隔監視センター１１の点検作業員は、監視表示盤１１２のスイッチ１１２ａを押すと、その信号は、遠隔監視装置１１１の符号化回路１１１ａで符号化され、送信符号変換器１１１ｂにおいて送信用符号に変換された後、変調器（ＭＯＤ）１１１ｃにて搬送波を変調して通信回線１２を介して端末装置１０１側に伝送される。
【００２９】
端末装置１０１の復調器（ＤＥＭＯＤ）１０１ａで復調された受信信号は、受信符号変換器１０１ｂで符号変換された後、復号回路１０１ｃで復号化され、その復調された信号によりエレベータ制御盤１０内のリレーを上述のように制御することにより、切替え回路８はＯＦＦに切替え制御される。
【００３０】
切替え回路８のＯＦＦ切替えにより、停電灯６は点灯し、その点灯光を光センサー１０で検出し電気信号に変換された信号は、図２の端末装置１０１の送信符号変換器１０１ｄに供給され、送信符号に変換された後、変調器（ＭＯＤ）１０１ｅで搬送波を変調し、通信回線１２で遠隔監視装置１１１の復調器（ＤＥＭＯＤ）１１１ｄに向け伝送される。
【００３１】
復調器（ＤＥＭＯＤ）１１１ｄで復調された光検出信号は、受信符号変換器１１１ｅで符号変換された後、表示出力メモリ回路１１１ｆに供給され一旦記憶される。
【００３２】
表示出力メモリ回路１１１ｆに記憶された光検出信号は、メモリされると同時に読み出され監視表示盤１１２の表示灯１１２ｂを点灯させるから、スイッチ１１２ａを操作した点検作業員は、表示灯１１２ｂの点灯により、乗りかごの停電灯６が正常動作により点灯したことを、遠隔操作により確認できる。
【００３３】
このように、図１及び図２に示したこの発明装置の実施の形態では、照明灯２の点灯を継続した状態で停電灯６の動作点検が可能であるので、仮に乗りかご内に乗客がいる場合でも、乗客に違和感や不快感を与えることがなく、またエレベータの平常運転時でも支障なく点検作業を実施することができる。
【００３４】
以上のように、この発明によるエレベータ乗りかご内の停電灯点検装置は、点検作業員は、乗りかごにおいて、あるいは機械室において、さらには遠隔地の監視センターにおいて、その場で容易にしかもエレベータの運行に何等制限を与えることなく停電灯の動作点検を容易に行うことが可能であり、エレベータの運行効率の向上をも図ることができる。
【００３５】
【発明の効果】
本発明装置によれば、エレベータ乗りかご内の停電灯の動作点検を、かご内照明灯を点灯した状態で行うことができ、乗客に迷惑をかけることがないので、エレベータの運行効率の向上が可能であり実用上の効果大である。
【図面の簡単な説明】
【図１】この発明によるエレベータ乗りかご内の停電灯点検装置の一実施の形態を示す構成図である。
【図２】図１に示す装置の端末装置及び遠隔監視センターの構成を示す回路図である。
【図３】従来のエレベータ乗りかご内の停電灯点検装置を示す構成図である。
【符号の説明】
１  電源
１ａ  電源スイッチ
２  照明灯
３  リレー
３ａ，３ｂ  切替え回路
４  整流回路
５  ２次電池
６  停電灯
７  点検スイッチ
８  切替え回路
９  光センサー
１０  エレベータ制御盤
１１  遠隔監視センター
１２  通信回線
【図１】
0003732597.tif 000002
【図２】
0003732597.tif 000003
【図３】
0003732597.tif 000004